(57)【要約】【課題】  本発明は、既知の障害を回避しつつセットアップ作業を行なうのに必要な操作支援情報を出力するための方法を提供することを目的とする。【解決手段】  利用者から操作の予定データの入力を受け付けるステップと、操作と該操作に関連する障害に関する情報とを関連付けて格納する障害情報テーブルを参照して、前記入力された予定データに対応付けられている各操作につき、該障害に関する情報を抽出するステップと、前記抽出した障害に関する情報を出力するステップとにより上記課題を解決する。【選択図】  図１
2006251998.tif 000002
【特許請求の範囲】
【請求項１】
コンピュータに、操作支援情報を出力させるための方法であって、
利用者から操作の予定データの入力を受け付けるステップと、
操作と該操作に関連する障害に関する情報とを関連付けて格納する障害情報テーブルを参照して、前記入力された予定データに対応付けられている各操作につき、該障害に関する情報を抽出するステップと、
前記抽出した障害に関する情報を出力するステップと
を備えたことを特徴とする操作支援情報出力方法。
【請求項２】
前記操作支援情報出力方法はさらに、
前記利用者と操作の習熟度に関するランクとを対応づけて格納する利用者情報テーブルを参照して、前記予定データを入力した利用者のランクを判別するステップを備え、
前記抽出するステップは、前記障害情報テーブルに前記各障害と対応付けて格納されているランク情報を参照して、前記判別した利用者のランクに応じた障害情報を抽出することを特徴とする請求項１記載の操作支援情報出力方法。
【請求項３】
前記操作支援情報出力方法はさらに、
前記利用者から入力される各操作の入力と、前記予定データに対応付けられている各操作に対応付けられている障害に関する情報とを参照し、該利用者から入力された操作の後続の操作に、前記障害に関する情報が存在すると判別した場合に、アラームを出力することを特徴とする請求項１記載の操作支援情報出力方法。
【発明の詳細な説明】
【技術分野】
【０００１】
本発明は、複数の利用者が共同で利用するような施設の操作支援情報出力方法に関する。
【背景技術】
【０００２】
コンピュータへのソフトウェアのインストールやセットアップなどの操作においては、所定の操作により障害が発生したり、セットアップ後のシステムの動作に影響が生じたりすることがある。従って、このような操作を行なう利用者は、事前に既知の障害情報を入手して障害を回避するための操作手順を考慮することが望ましい。
【０００３】
このような分野に関連し、パーソナルコンピュータ周辺機器のメンテナンス作業の手順を表すガイダンス情報を表示するための方法として、作業の進捗状況に応じて作業手順を表示したり、エラー動作を解消するためのガイダンスを表示したりする技術が存在する（例えば特許文献１参照）。
【特許文献１】特開２００３−１７７９０２号公報
【発明の開示】
【発明が解決しようとする課題】
【０００４】
しかし、上述の従来技術は、エラーが発生してからエラーを解消するためのガイダンスを表示するものであって、操作に先立って既知障害に関する情報を出力するものではない。従って、このような従来技術を用いても、利用者は、操作に先立って障害情報を入手することはできず、膨大な障害情報の中から自分の作業に関連するものを探し出す手間が生じている。また、障害情報を入手した後にも、さらに、障害を回避するための手順を考慮しながら実作業を行なう必要が生じている。
【０００５】
本発明は、このような状況に鑑み、既知の障害を回避しつつセットアップ作業を行なうのに必要な操作支援情報を出力するための方法を提供することを目的とする。
【課題を解決するための手段】
【０００６】
そこで上記課題を解決するために、本発明は、利用者から操作の予定データの入力を受け付けるステップと、操作と該操作に関連する障害に関する情報とを関連付けて格納する障害情報テーブルを参照して、前記入力された予定データに対応付けられている各操作につき、該障害に関する情報を抽出するステップと、前記抽出した障害に関する情報を出力するステップとを備える。
【発明の効果】
【０００７】
上述の通り、本発明の操作支援情報出力方法では、コンピュータに、これから利用者が予定している操作に関連する障害情報をもれなく出力させることができる。このように出力された情報によって、利用者はコンピュータシステムに対する操作を行なう前に、確実に既知の障害に関する情報を得ることができる。
【０００８】
また、本発明の操作支援情報出力方法では、コンピュータに、利用者のレベルに応じた障害情報のみを出力させることができる。従って、利用者は自分の操作レベルに応じた障害情報のみを容易に入手することが可能になる。
【発明を実施するための最良の形態】
【０００９】
本発明を実施するための最良の形態を、以下の実施例に基づき説明する。なお、以下の実施例では本発明を実現するコンピュータの一例としてサーバと、利用者が利用するコンピュータとして利用者端末とを挙げ、これらのサーバや利用者端末はネットワークを介して接続されている。利用者端末は複数台存在してもよい。また、サーバが保持する各プログラムやデータを、ネットワークによってサーバと接続されている他のコンピュータに保持させ、サーバはそれら他のコンピュータからデータを読み出して処理を実施してもよい。
【００１０】
図１は、本発明による操作支援情報出力方法をコンピュータで実現させるための一実施例の構成図である。図１の操作支援情報出力システムは、本発明の処理を実施するサーバ１と、利用者が利用するコンピュータである利用者端末４と、サーバ１と利用者端末４とを互いに通信可能なように接続するネットワーク３から構成されている。
【００１１】
サーバ1はコンピュータであって、処理を実施するためのプログラムとして入出力プログラム１１やテーブル管理プログラム１２や手順生成プログラム１３を、処理を実施する際に利用するデータファイルとして、利用者情報ファイル２１や作業マスタ２２や障害情報ファイル２３をそれぞれ記憶手段に保持している。また、オペレータから直接操作を受け付けるための入力装置１８や、情報を出力するための出力手段１９を備えている。
【００１２】
入出力プログラム１１は、ネットワーク３を介してサーバ１が他の端末とデータを送受信するためのプログラムである。入出力プログラム１１によって、サーバ１は、利用者端末４から予定データを受け付けたり、結果データとして障害に関する情報などを送信したりすることができる。
【００１３】
テーブル管理プログラム１２は、サーバ１が受け付けたり処理を行なったりした結果のデータに応じて、利用者情報ファイル２１や作業マスタ２２や障害情報２３を更新したり、検索したりするためのプログラムである。
【００１４】
手順生成プログラム１３は、利用者端末４から送信されてきた予定データを元に、作業マスタ２２や障害情報ファイル２３を参照して、各操作の詳細情報や、各操作に関連する障害情報を抽出したり、各利用者に付与されているレベルと各障害に付与されているレベルとを参照し、予定データを入力した利用者のレベル以上のレベルを持つ障害情報のみを出力したりするためのプログラムである。
【００１５】
利用者情報ファイル２１は、利用者に関する情報を管理するためのデータファイルである。
【００１６】
作業マスタ２２は、本システムが支援対象とするソフトウェアの各作業につき、操作手順の内容や、該操作に関連する障害に関する情報をそれぞれ対応付けて管理するためのデータファイルである。
【００１７】
障害情報ファイル２３は、作業マスタ２２で記憶している障害に関する情報につき、障害の内容などをそれぞれ対応付けて管理するためのデータファイルである。
【００１８】
ネットワーク３は、インターネットや無線などの通信網であって、サーバ１と端末とを互いに通信が可能なように接続している。ネットワーク３は接続されたコンピュータ同士が互いに通信可能であれば、どのような形態のネットワークであっても良い。
【００１９】
利用者端末４は、該利用者端末４を操作する利用者から入力された予定データをサーバ１へ送信したり、サーバ１から返信されてきた結果データである、操作手順の詳細情報や操作に関連する障害に関する情報を受信して出力したりするコンピュータである。また、オペレータから直接操作を受け付けるための入力装置４８や、情報を出力するための出力手段４９を備えている。
【００２０】
手順チェックプログラム４１は、利用者から入力された操作と、結果データに含まれる操作手順の詳細情報や障害情報とを比較し、前記障害に関する情報が存在する操作が実行される前に、アラームを出力するためのプログラムである。
【００２１】
なお、サーバ１や利用者端末４は、図示しない以下のようなハードウェア構成を備えている。すなわち、それぞれバスで相互に接続されている入力装置や、出力装置や、ドライブ装置や、補助記憶装置や、メモリ装置や、演算処理装置や、インターフェース装置を有するように構成されている。なお、これらコンピュータを構成する各種デバイスは、１つの筐体に収容してもよいし複数の筐体に分散して収容されていてもよい。
【００２２】
入力装置は例えばキーボードやマウスなどで構成され、様々な操作指示をコンピュータに入力するために用いられる。出力装置は例えばディスプレイやプリンタなどで構成され、操作に必要な各種ウインドウやデータ等を出力する。インターフェース装置は、ネットワーク３に接続する為のインターフェースであり、例えばモデムやルータ等で構成される。
【００２３】
これらコンピュータを制御するプログラムは、ＣＤ−ＲＯＭ等の記録媒体によって提供されることもできる。プログラムを記録した記録媒体は、ドライブ装置にセットされ、プログラムがドライブ装置を介して補助記憶装置にインストールされる。プログラムを記録した記録媒体としては、例えばＣＤ−ＲＯＭやフレキシブルディスクや光磁気ディスク（ＭＯ）等の様に情報を光学的、電気的或いは磁気的に記録する記録媒体、又はＲＯＭやフラッシュメモリ等の様に情報を電気的に記録する半導体メモリ等、様々なタイプの記録媒体を用いることが可能である。
【００２４】
また、プログラムはインターフェース装置を介して接続される他のコンピュータの記録媒体等に記録されているものも含まれる。他のコンピュータの記録媒体等に記録されているプログラムは、インターフェース装置を介してダウンロードされて補助記憶装置にインストールされる。補助記憶装置は、インストールされたプログラムと、そのプログラムの処理に必要な各種ファイル等を格納する。メモリ装置は、起動時に補助記憶装置からプログラムを読み出して格納する。演算処理装置は、メモリ装置に格納されたプログラムに従って、サーバ１が実施すべき処理を各種プロセスで実現する。
【００２５】
次に、図２を用いて、サーバ１が保持しているデータファイルについて説明する。図２（Ａ）は利用者情報ファイル２１のデータ例である。利用者情報ファイル２１は、利用者を一意に識別するための利用者ＩＤと、利用者の氏名と、利用者の操作の習熟度に関するレベルと、メールアドレスなどをそれぞれ対応付けて管理している。例えば１行目のデータは、利用者ＩＤが「Ｕ００１」の利用者は、「山田」という名前で、操作レベルは「Ａ」であることを示している。このようなデータにより、サーバ１の手順生成プログラム１３は、利用者のレベルを判別することが可能になる。
【００２６】
図２（Ｂ）は作業マスタ２２のデータ例である。作業マスタ２２は本システムが支援対象としているソフトウェア（即ち、利用者からセットアップ作業を行なう対象として入力される可能性のあるソフトウェア）と、そのソフトウェアに対して行なわれる作業の番号や内容と、各作業を構成する操作手順の番号や内容や具体的な操作を表すデータに関する情報と、各操作手順に関連する障害に関する情報とをそれぞれ対応付けて管理している。例えば１行目のデータは、「ソフトＡ」というソフトウェアの作業番号「１」は「インストール」作業であって、インストール作業を構成する操作手順のうち操作手順番号「１−１」は「ログイン」操作であって、ログイン操作に関連して発生する既知の障害が存在し、その障害を示す障害番号は「Ｅ１−１」であることを示している。
【００２７】
このようなデータにより、サーバ１の手順生成プログラム１３は、利用者から入力された予定データを元に、該予定データに示されるソフトウェアの作業にはどのような操作手順があり、また各操作手順に関連して発生する障害があるかどうか、障害が存在する場合には、障害番号は何番かを判別することが可能になる。
【００２８】
図２（Ｃ）は障害情報ファイル２３のデータ例である。障害情報ファイル２３は、作業マスタ２２に記録されている各障害番号と対応付けて、該障害に関連する利用者のレベルと、障害の具体的な内容や対応策や注意事項を示す情報などを管理している。例えば１行目のデータは、障害番号「Ｅ１−１」の障害は、関連する利用者のレベルは「Ａ」であり、「必ず管理者権限でログインすること」という注意事項があることを示している。このようなデータにより、サーバ１の手順生成プログラム１３は、利用者から入力された予定データを元に判別した障害番号につき、出力すべき情報を得たり、利用者のレベルに応じた障害情報のみを得たりすることができる。
【００２９】
図２（Ａ）の利用者情報ファイル２１及び図２（Ｃ）の障害情報ファイル２３に示すデータ例では、レベルの情報にＡ、Ｂ、Ｃの３種類があり、この例では操作の習熟度につきＡが初心者レベル、Ｂが中級者レベル、Ｃが上級者レベルを意味している。利用者情報ファイル２１で利用者と対応付けて格納されているレベルの情報は、該利用者の操作の習熟度のレベルを表しており、障害情報ファイル２３で障害番号と対応付けて格納されているレベルの情報は、どのレベル以下の利用者が注意すべき障害情報かを意味している。なお、どのような習熟度を何れのレベルに設定するか、またレベルの種類をいくつにするかは、本システムの運用者が適宜設定することができる。
【００３０】
なお、本発明の操作支援情報出力方法をコンピュータで動作させるに先立って、利用者に関する情報が利用者情報ファイル２１へ、各対象製品や作業内容や作業を構成する操作に関する情報などが作業マスタ２２へ、各操作に関連して発生したことのある障害に関する情報が障害情報ファイル２３へ、予め登録されているものとする。
【００３１】
次に、本発明の操作支援情報出力方法について、図を参照しつつ説明していく。
【実施例１】
【００３２】
図３は、図１のサーバ１が行なう処理を説明するためのフローチャートである。まずステップＳ１１で、サーバ１の入出力プログラム１１は、利用者が操作する利用者端末４からネットワーク３を介して、予定データと利用者を特定するための情報の入力を受け付ける。
【００３３】
予定データのデータ例を図５（Ａ）に示す。予定データには、対象製品を識別するための情報と、該対象製品に対し、利用者が予定している作業を示す情報とが含まれている。なお、図５（Ａ）は１つのデータから構成された例となっているが、もちろんこれに限るものではなく、複数の対象製品及び複数の作業内容を含んだデータであってよい。
【００３４】
ステップＳ１２では、テーブル管理プログラム１２が、ステップＳ１１で受け付けた利用者を特定するための情報を元に利用者情報ファイル２１を参照し、該利用者のレベルに関する情報を得る。
【００３５】
次にステップＳ１３で、テーブル管理プログラム１２は、予定データに含まれる対象製品及び作業内容に関する情報を元に、作業マスタ２２を参照し、該当する作業の操作手順などに関するデータを得る。またステップＳ１４で、ステップＳ１３で抽出した操作手順に対応して障害番号が登録されていた場合には、その障害番号をキーとして障害情報ファイル２３を参照し、該障害番号に対応する障害の情報を参照する。
【００３６】
例えば、ステップＳ１１で図５（Ａ）に示す予定データと、利用者ＩＤとして「Ｕ００１」の入力を受け付けた場合、ステップＳ１２では、「Ｕ００１」を元に利用者情報ファイル２１を参照し、利用者ＩＤがＵ００１である利用者のレベルは「Ａ」であるという情報を得る。そしてステップＳ１３では、予定データの対象製品「ソフトＡ」と作業内容「インストール」を元に作業マスタ２２を参照し、ソフトＡのインストール作業を構成する操作手順として、作業番号がインストールを示す「１」である行につき操作手順番号と操作手順内容とのデータとして、例えば操作手順の１番目として「ログイン」や２番目として「ＣＤを起動」などの情報を得る。
【００３７】
続いてステップＳ１４で、作業番号がインストールを示す「１」である行につき障害番号を参照し、例えば、「ログイン」という操作手順に関連する障害の障害番号として「Ｅ１−１」を、３番目の操作手順である「インストール先を指定」という操作手順に関連する障害の障害番号として「Ｅ１−３」を得る。そして、障害番号を元に障害情報ファイル２３を参照し、障害番号Ｅ１−１に対応する障害情報として、「必ず管理者権限でログインすること」という情報を得る。また、Ｅ１−３に対応する障害情報として、「ＸＸ機能は標準モードではインストール不可。カスタマイズインストールを行なうこと」という情報を得る。
【００３８】
ステップＳ１５では、手順生成プログラム１３が、ステップＳ１４で抽出した障害情報のうち、該障害情報のレベルが、ステップＳ１２で得た利用者のレベル以上のものを抽出する。例えば、ステップＳ１２で参照した情報により、利用者ＩＤがＵ００１である利用者のレベルは「Ａ」であることが分かるので、レベルがＡ以上、すなわちＡとＢとＣのレベルに該当する障害情報を抽出する。この事例では、ステップＳ１４で得たＥ１−１のレベルは「Ａ」、Ｅ１−３のレベルは「Ｂ」なので、Ｅ１−１とＥ１−３の両方を抽出する。もし、ステップＳ１２で参照した利用者のレベルがＢであればＥ１−３のみを抽出し、利用者のレベルがＣであれば、Ｅ１−１とＥ１−３の何れも抽出しないことになる。
【００３９】
そして、ステップＳ１６では、手順生成プログラム１３が、ステップＳ１５までに抽出した操作手順に関する情報と障害に関する情報とを結果データにまとめて、ステップＳ１１で予定データを送信してきた利用者端末４へ送信する。
【００４０】
結果データの例を図５（Ｂ）に示す。手順生成プログラム１３が生成する結果データは、予定データとして受け付けた対象製品及び作業内容のデータに加えて、操作手順番号や操作手順や操作データや障害番号やレベルや障害内容に関するデータを含んでいる。このような情報を返信された利用者端末４は、この情報を元に、利用者の作業を支援するための情報を画面出力することができる。
【００４１】
図６は結果データを元にして利用者端末４が出力する画面の例である。この出力画面６０では、対象となる製品「ソフトＡ」および作業内容「インストール作業」の表示とともに、この作業内容に含まれる操作手順を操作手順番号の小さい順にプルダウン表示できる領域６１や、プルダウン領域６１で選択された操作手順につき、障害情報がある場合にその内容を表示する領域６２を備えている。このような表示領域６１及び６２により提示される操作支援情報により、セットアップ作業を行なう利用者に、実際に操作を行なうに先立って、予定している操作に関連する障害に関する情報を提供することが可能になる。なお、画面６０内の領域６３は後に説明する図４のフローの処理に関連する表示領域である。
【００４２】
なお、図１のフローでは、ステップＳ１２及びステップＳ１５の処理を抜かして処理を行なうことも可能である。ステップＳ１２及びＳ１５の処理によって、利用者のレベルに応じた障害情報を抽出しているので、これらの処理ステップを飛ばした場合には、ステップＳ１６において、利用者のレベルには関係なく、入力された予定データに関連する全ての障害情報を出力することになる。
【００４３】
以上のように、図３のフローに示す処理によって、サーバ１は、利用者から入力される予定データに対応する障害の情報、もしくは、予定データと利用者のレベルとに対応する障害の情報を抽出し出力する。
【００４４】
次に、利用者端末４の手順チェックプログラム４１が行なう処理を図４を用いて説明する。この処理は、利用者端末４上で、利用者があるソフトウェアのセットアップ作業を行なっている最中に行なわれる処理で、予め、作業を実施する予定の予定データをサーバ１へ送信し、それに対して返信されてきた結果データに基づき、利用者がセットアップのために入力手段４８を介して利用者端末４へ入力したコマンドの入力や処理の選択指示等の操作を監視し、該入力された操作について結果データと比較することで、操作に関連する障害の情報を出力する処理である。従って、利用者端末４上では、手順チェックプログラム４１と、ソフトウェアのセットアップに関する処理とが同時に処理されることになる。
【００４５】
まずステップＳ２１において、手順チェックプログラム４１は、利用者から入力される操作を参照する。そしてステップＳ２２において、予めサーバ１から返信されている結果データの操作データの中から、入力された操作に関するデータに該当する操作データを特定する。
【００４６】
続いてステップＳ２３で、結果データにつき、ステップＳ２２で特定した操作手順以降を参照し、ステップＳ２１で入力された操作または該操作の後続の操作につき、障害に関する情報が存在するかどうかを判断する。そしてステップＳ２４で、判断の結果、障害に関する情報が存在すれば、障害に関するアラーム情報を出力する。アラーム情報の出力例を図６に示す。
【００４７】
図６の出力画面例のうち、領域６３がこの処理に関連する出力部分である。領域６３は、利用者が実際にセットアップ作業に際し行なっている操作、もしくは該操作の後続の操作に関連して障害情報があるか否かをガイド表示する領域である。この例では、信号機のように障害情報の存在状況を青、黄、赤のアイコンで表示しており、現在入力している操作及び以降の操作に関し、障害情報が存在しない場合は青いアイコンを、現在入力している操作の２つ以上後の操作に関し障害情報が存在する場合は黄色いアイコンを、現在入力している操作の次の操作に関し障害情報が存在する場合は赤いアイコンを、それぞれ他のアイコンと識別可能な形式で表示している。また、これらの識別可能な形式で表示されているアイコンが利用者により選択入力された場合には、対応する障害情報を結果データから参照して、表示領域６２などに出力してもよい。
【００４８】
このような表示領域６３の情報により、セットアップ作業を行なう利用者に、現在行なっている操作の後続の操作（即ち、今後行なう予定の操作）に関連する障害情報の有無を表示して注意を喚起することが可能になる。
【００４９】
情報を出力した後は、ステップＳ２５で、ステップＳ２１で入力された操作が最後の操作手順であるかどうかにつき、ステップＳ２２で特定した操作手順以降に操作手順があるか否かにより、以降に操作手順がある場合は最後の手順まで終わっていないと判断し、再びステップＳ２１で次の操作入力を受け付ける。ステップＳ２５で、最後の手順まで終わったと判断した場合には、本処理を終了する。
【００５０】
なお、ステップＳ２１で入力された操作を、手順チェックプログラム４１がインターラプトして保持し、ステップＳ２４でアラーム情報を出力した後に該入力された操作を実際に処理することも可能である。
【００５１】
また、ステップＳ２２で結果データの中から該当する操作手順を特定する際に、先に処理を行なった操作と今回入力された操作とが結果データに示される操作手順番号の順に正しく行なわれているかどうかを確認する処理を付け加えることも可能である。
【００５２】
以上のように、図４のフローに示す処理によって、手順チェックプログラム４１は、利用者から入力された操作、もしくは、後続の操作に関連する障害に関する情報を出力する。
【００５３】
図１に示した構成は一例であって、実際のプログラムモジュールの構成に合致しない場合もある。例えば、図４の処理を行なう手順チェックプログラム４１は、予め利用者端末４にインストールされていても良いし、図４の処理に先立って行なわれる図３の処理において、サーバ１から利用者端末４へ返信される結果データと合わせて送信されてきても良い。結果データと合わせて送信されてくる場合には、サーバ１は図示外の領域に手順チェックプログラム４１を格納しておく領域を備え、該領域から手順チェックプログラム４１を読み出して結果データとともに利用者端末４へ送信することになる。
【００５４】
また、手順チェックプログラム４１はサーバ１上で動作しても構わない。手順チェックプログラム４１がサーバ１上で動作する場合には、利用者端末４は、利用者から入力された操作を受け付けると、該操作の内容をサーバ１へ送信し、サーバ１は利用者端末４から送信されてきた操作の内容をもとに、上述の図４の処理を行なうことになる。
【００５５】
また、ソフトウェアのインストール作業と、上述の図３及び図４の処理とが同一のコンピュータ上で行なわれても構わない。
【００５６】
さらに、図２および図５に示したデータの保持の仕方についても、同様のデータを管理可能な限りにおいて他の方式を用いても構わない。また、図６に示す出力画面についても、同様の主旨の情報を出力する限りにおいて他の方式を用いても構わない。
【００５７】
本発明は、以下に記載する付記のような構成が考えられる。
【００５８】
（付記１）
コンピュータに、操作支援情報を出力させるための方法であって、
利用者から操作の予定データの入力を受け付けるステップと、
操作と該操作に関連する障害に関する情報とを関連付けて格納する障害情報テーブルを参照して、前記入力された予定データに対応付けられている各操作につき、該障害に関する情報を抽出するステップと、
前記抽出した障害に関する情報を出力するステップと
を備えたことを特徴とする操作支援情報出力方法。
【００５９】
（付記２）
前記出力するステップは、前記受け付けた予定データのうち関連する障害に関する情報が存在した操作と、該障害に関する情報とを関連付けて出力することを特徴とする付記１記載の操作支援情報出力方法。
【００６０】
（付記３）
前記操作支援情報出力方法はさらに、
前記利用者と操作の習熟度に関するランクとを対応づけて格納する利用者情報テーブルを参照して、前記予定データを入力した利用者のランクを判別するステップを備え、
前記抽出するステップは、前記障害情報テーブルに前記各障害と対応付けて格納されているランク情報を参照して、前記判別した利用者のランクに応じた障害情報を抽出することを特徴とする付記１記載の操作支援情報出力方法。
【００６１】
（付記４）
前記操作支援情報出力方法はさらに、
前記利用者から入力される各操作の入力と、前記予定データに対応付けられている各操作に対応付けられている障害に関する情報とを参照し、該利用者から入力された操作の後続の操作に、前記障害に関する情報が存在すると判別した場合に、アラームを出力することを特徴とする付記１記載の操作支援情報出力方法。
（付記５）
操作支援情報出力装置において、
操作と該操作に関連する障害に関する情報とを関連付けて格納する障害情報テーブルと、
利用者から操作の予定データの入力を受け付ける手段と、
前記障害情報テーブルを参照して、前記入力された予定データに対応付けられている各操作につき、前記障害に関する情報を抽出する手段と、
前記抽出した障害に関する情報を出力する手段と
を備えたことを特徴とする操作支援情報出力装置。
【００６２】
（付記６）
前記操作支援情報出力装置はさらに、
前記利用者と操作の習熟度に関するランクとを対応づけて格納する利用者情報テーブルと、
前記予定データを入力した利用者のランクを判別する手段とを備え、
前記障害情報テーブルは、前記各障害と対応付けて格納されているランク情報をさらに格納し、
前記抽出する手段は、前記障害情報テーブルと前記判別した利用者のランクとを参照し、前記判別した利用者のランクに応じた障害情報を抽出することを特徴とする付記５記載の操作支援情報出力方法。
【００６３】
（付記７）
操作支援情報出力装置において、
利用者から入力された予定データを他のコンピュータへ送信する手段と、
前記他のコンピュータより前記予定データに関連する操作と、該操作に関連する障害に関する情報との返信を受ける手段と、
利用者から入力される操作を受け付ける手段と、
前記返信された前記予定データに関連する操作と、該操作に関連する障害に関する情報と、前記受け付けた操作の入力とを参照し、前記受け付けた操作の後続の操作に、前記障害に関する情報が存在すると判別した場合に、アラームを出力する手段と
を備えたことを特徴とする操作支援情報出力装置。
【図面の簡単な説明】
【００６４】
【図１】本発明による操作支援情報出力システムの一実施例の構成図である。
【図２】本発明のデータファイルのデータ例である。
【図３】本発明の処理フローである。
【図４】本発明の手順チェック処理のフローチャートである。
【図５】本発明の入出力データ例である。
【図６】本発明による操作支援情報の画面出力例である。
【符号の説明】
【００６５】
１  サーバ
３  ネットワーク
４  利用者端末
１１  入出力プログラム
１２  テーブル管理プログラム
１３  手順生成プログラム
１８  入力手段
１９  出力手段
２１  利用者情報ファイル
２２  作業マスタ
２３  障害情報ファイル
４１  手順チェックプログラム
【図１】
2006251998.tif 000003
【図２】
2006251998.tif 000004
【図３】
2006251998.tif 000005
【図４】
2006251998.tif 000006
【図５】
2006251998.tif 000007
【図６】
2006251998.tif 000008